(57)【要約】      （修正有）【課題】蝶番等を用いずに３枚の板材を相互に係合して、折り畳んだ状態と、三角錐状を形成する状態を容易に切り替えられるドリッパーを提供する。【解決手段】第一板材１、第二板材２及び第三板材３の３枚の可撓性材料で形成される板材を係合してなるドリッパーＤであって、第一板材と第二板材及び第一板材と第三板材は、一方の板材の外れ止めを有する凸状片１１、２１、３１が他方の板材の外れ止めを有する凹状部１２、２２に係合され、該係合部分を中心に相互に揺動可能とされており、第二板材の外れ止めを有する凸状片２１が、第三板材の溝穴３２に係合されて、溝穴沿いに相対スライド可能とされており、第二板材と第三板材が第一板材に対して閉じられると各板材が重なるように折り畳まれた状態となり、第二板材と第三板材を第一板材に対して開くと凸状片が溝穴内でストッパーとして開き角度を規制することにより紙製フィルターを保持可能な三角錐状を形成した状態となる。【選択図】図４
0003230588.tif 000002
【実用新案登録請求の範囲】
【請求項１】
第一板材、第二板材及び第三板材の３枚の可撓性材料で形成される板材を係合してなるドリッパーであって、
前記第一板材と前記第二板材、及び前記第一板材と前記第三板材は、一方の板材の外れ止めを有する凸状片と他方の板材の外れ止めを有する凹状部により分離不能に係合されて、該係合部分を中心に相互に揺動可能とされており、
前記第二板材の外れ止めを有する凸状片が、前記第三板材の溝穴に分離不能に係合されて、前記溝穴沿いをスライド可能とされており、
前記第二板材と前記第三板材が前記第一板材に対して閉じられたときに、前記各板材が重なるように折り畳まれた状態となり、
前記第二板材と前記第三板材が前記第一板材に対して開かれたときに、前記凸状スライド片が前記溝穴内でストッパーとして開き角度を規制することにより、紙製フィルターを保持可能な概ね三角錐状を形成した状態となることを特徴とするドリッパー。
【請求項２】
前記折り畳まれた状態において、正面視概ね矩形状を成すことを特徴とする請求項１記載のドリッパー。
【請求項３】
前記折り畳まれた状態において、前記第二板材と前記第三板材に相互に留め外し可能なホックが取り付けられていることを特徴とする請求項１又は２記載のドリッパー。
【請求項４】
前記第二板材と前記第三板材には、これらの前記ホックによる結合を外す際の補助となる操作タブが形成されていることを特徴とする請求項３記載のドリッパー。
【考案の詳細な説明】
【技術分野】
【０００１】
本考案は、挽いたコーヒー豆を入れた円錐形の紙製フィルターをマグカップ等の抽出容器上で支持するドリッパーに関する。
【背景技術】
【０００２】
従来、ドリッパーは、抽出容器に載せる円盤状の土台部と、底部にコーヒー抽出穴を有する円錐形のフィルター収容部を一体形成したものが一般的であるが、キャンプ等のアウトドア活動に持っていくには嵩が大きく不便である。
【０００３】
これに対し、嵌合凸部と嵌合凹部を有する３枚の板材を三角錐状に合わせて、隣接する板材同士を相互に嵌合させることで、円錐形の紙製フィルターを収容し、抽出容器上で支持できるようにしたドリッパーが提案されている（例えば、特許文献１参照。）。このドリッパーは、３枚の板材に分解して重ねると、薄くなって収納しやすく、持ち運びに便利である。
【先行技術文献】
【特許文献】
【０００４】
【特許文献１】特許第６０８９２４２号公報
【考案の概要】
【考案が解決しようとする課題】
【０００５】
しかし、上記従来のドリッパーは、分解により３枚の板材が完全に分離されるため、使用時にこれらをどのように組み立てて使うのか、悩まされることがあり、また、２枚の板材を相互に嵌合させて、それらの嵌合凸部と嵌合凹部に残り一枚の板材の嵌合凹部と嵌合凸部を嵌合させて組み立てる際に多少のコツを要する。また、３枚の板材は分離されると、相互に紐づけるものがないため、個別板材の紛失防止等に気を使うという問題がある。
【０００６】
なお、上記特許文献には、板材同士の３か所の嵌合部分のうち、２か所を蝶番による連結に代える実施例もあるが、蝶番とこれを固定するリベットが必要で、部品点数が増え、取り付けに細かい手作業が必要でコストが高くなる。また、蝶番を用いない残り１か所は嵌合凸部と嵌合凹部を嵌合させるが、その際に蝶番を抉るため、組立・分解の繰り返しでリベットが外れたり、蝶番が変形したりする心配がある。
【０００７】
上記事情に鑑みて、本考案は、蝶番等を用いずに３枚の板材を相互に係合して、折り畳んだ状態と、三角錐状を形成する状態を容易に切り替えられるドリッパーを提供する。
【課題を解決するための手段】
【０００８】
請求項１記載のドリッパーは、
第一板材、第二板材及び第三板材の３枚の可撓性材料で形成される板材を係合してなるドリッパーであって、
前記第一板材と前記第二板材、及び前記第一板材と前記第三板材は、一方の板材の外れ止めを有する凸状片と他方の板材の外れ止めを有する凹状部により分離不能に係合されて、該係合部分を中心に相互に揺動可能とされており、
前記第二板材の外れ止めを有する凸状片が、前記第三板材の溝穴に分離不能に係合されて、前記溝穴沿いをスライド可能とされており、
前記第二板材と前記第三板材が前記第一板材に対して閉じられたときに、前記各板材が重なるように折り畳まれた状態となり、
前記第二板材と前記第三板材が前記第一板材に対して開かれたときに、前記凸状スライド片が前記溝穴内でストッパーとして開き角度を規制することにより、紙製フィルターを保持可能な概ね三角錐状を形成した状態となることを特徴とするドリッパー
を提供する。
【０００９】
請求項２記載のドリッパーは、
前記折り畳まれた状態において、正面視概ね矩形状を成すことを特徴とする請求項１記載のドリッパー
を提供する。
【００１０】
請求項３記載のドリッパーは、
前記折り畳まれた状態において、前記第二板材と前記第三板材に相互に留め外し可能なホックが取り付けられていることを特徴とする請求項１又は２記載のドリッパー
を提供する。
【００１１】
請求項４記載のドリッパーは、
前記第二板材と前記第三板材には、これらの前記ホックによる結合を外す際の補助となる操作タブが形成されていることを特徴とする請求項３記載のドリッパー
を提供する。
【考案の効果】
【００１２】
請求項１記載のドリッパーによれば、以下の優れた効果を奏し得る。３枚の板材を分離不能に係合してなり、これらをそのまま相互に閉じれば折り畳まれた状態となり、相互に開けば紙製フィルターを保持可能な概ね三角錐状を形成する状態となるので、どのようにすればよいか悩むことがない。また、３枚の板材は、それらに形成した凸状片と凹状部、あるいは凸状スライド片と溝穴の組み合わせにより直接係合させられているので、蝶番やそれを固定するリベット等の部品が不要で、部品点数や組立工数を削減して、製作コストを抑えることができる。なお、３枚の板材は可撓性材料で形成されているので、撓ませて平たくコンパクトに閉じることができ、元に戻ろうとするばね力により開き方向が示唆されるので、直感的に使用することができる。
【００１３】
請求項２記載のドリッパーによれば、請求項１記載のドリッパーが奏する効果に加えて、以下の優れた効果を奏し得る。矩形状に折り畳まれることにより収容し易くなる。
【００１４】
請求項３記載のドリッパーによれば、請求項１又は２記載のドリッパーが奏する効果に加えて、以下の優れた効果を奏し得る。ホックにより不意に開かないように保持されるので、取り扱いが楽になる。
【００１５】
請求項４記載のドリッパーによれば、請求項３記載のドリッパーが奏する効果に加えて、以下の優れた効果を奏し得る。ホックで留めると板材同士の隙間が狭くなるが、操作タブがあることにより楽にホックを外すことができる。
【図面の簡単な説明】
【００１６】
【図１】ドリッパーを構成する三枚の板材を示す図。
【図２】三枚の板材を相互に係合させる組立手順を説明する図。
【図３】ドリッパーが折り畳まれた状態を示す図。
【図４】ドリッパーが三角錐状を形成して使用可能な状態を示す図。
【図５】凸状片を凹状部に係合させる際の作用を説明する図
【考案を実施するための形態】
【００１７】
以下、本考案の実施形態について図面を参照しながら説明する。本実施形態のドリッパーＤは、図１及び図２に示される第一板材１、第二板材２及び第三板材３を分離不能に係合してなり、図３に示すように上記三枚の板材が相互に重なり合うように閉じられて概ね平坦な正面視概ね矩形状に折り畳まれた状態と、図４に示すように上記三枚の板材が相互に開かれてその内側に紙製フィルターを保持可能な概ね三角錐状を形成する使用可能状態を切り替えることができる。三枚の板材１〜３は、ステンレスなど可撓性を有する金属製の薄板からなりコンピュータ制御されるレーザー切断機により切り出される。なお、図１及び図２において、各板材は内側面（三角錐状に形成したドリッパーＤにおいて紙製フィルターと接する面）が示されている。
【００１８】
第一板材１、第二板材２及び第三板材３は、図１（ａ）〜（ｃ）に示すように、何れも概ね逆台形状の外形を有してなり、台形の脚に相当する左右の二辺のうち一辺(図中の左側辺) １ａ、２ａ、３ａは、台形の上底に相当する上辺１ｂ、２ｂ、３ｂに対して約６０度傾斜した斜辺であり、もう一方の台形の脚に相当する他辺（図中の右側辺）１ｃ、２ｃ、３ｃは、上辺１ｂ、２ｂ、３ｂに対して略直角を成す垂辺である。各板材の斜辺１ａ、２ａ、３ａには、その外側に突出する凸状片１１、２１，３１が形成されており、各凸状片は、その先端両側に他の板材と係合した後の外れ止めとなる爪状突起１１ａ、２１ａ、３１ａを有してなる。第二板材２の垂辺２ｃは、図１（ｂ）に示すように、その上方部分を外側に突出させる段差を有し、第三板材３の垂辺３ｃは、図１（ｃ）に示すように、その下方部分を外側に突出させる段差を有する。これらの突出部分は第二板材２と第三板材３を開かせる際の操作タブとなる。
【００１９】
第一板材１と第二板材２は、図１（ａ）及び（ｂ）に示すように、垂辺１ｃ、２ｃの内側に概ね逆三角穴状の凹状部１２、２２が開口形成されており、垂辺１ｃ、２ｃと対向する下側斜辺１２ａ、２２ａが上辺１ｂ、２ｂに対して約６０度傾斜させられている。そして、図２に矢印Ａで示すように、第一板材１の凹状部１２に第三板材３の凸状片３１を分離不能に係合させることにより、その係合部分を中心として第一板材１と第三板材３が相互に揺動可能な状態となる。また、図２に矢印Ｂで示すように、第二板材２の凹状部２２に第一板材１の凸状片１１を分離不能に係合させることにより、その係合部分を中心として第一板材１と第二板材２が相互に揺動可能となる。これにより、第二板材２と第三板材３を第一板材１に対して開閉可能となる。
【００２０】
上記に関して、より具体的には、第一板材１の凹状部１２の下側斜辺１２ａの長さ寸法が第三板材３の凸状片３１の根元の幅寸法より僅かに大きく設定されていることにより、下側斜辺１２ａが凸状片３１の根元を受け入れるようにして両者が係合可能とされており、かつ下側斜辺１２ａに連続する上側斜辺に外れ止めとして機能する段差１２ｂが設けられていることにより、第一板材１と第三板材３は分離不能とされている。また、第二板材２の凹状部２２の下側斜辺２２ａの長さ寸法が第一板材１の凸状片１１の根元の幅寸法より僅かに大きく設定されていることにより、下側斜辺２２ａが凸状片１１を受け入れるようにして両者が係合可能とされており、かつ下側斜辺２２ａに連続する上側斜辺に外れ止めとして機能する段差２２ｂが設けられていることにより、第二板材２と第三板材３は分離不能とされている。
【００２１】
第三板材３は、図１（ｃ）に示すように、斜辺３ａの内側から垂辺３ｃの内側にまで亘るように上方に隆起する円弧状の溝穴３２が開口形成されており、垂辺３ｃと対向する端部３２ａが上辺３ｂに対して約６０度傾斜させられている。溝穴３２の溝幅寸法は、第二板材２の凸状片２１の根元の幅寸法より僅かに大きく設定されているため、図２に矢印Ｃで示すように、第三板材３の溝穴３２に第二板材２の凸状片２１を係合させることにより、凸状片２１が溝穴内を移動可能なスライド片として第二板材２と第三板材３を連動させる。そして、凸状片２１が溝穴の端部３２ａに当接することにより、第二板材２と第三板材３の開き方向の動きを制限するストッパーとして機能し、結果として第一板材１に対する第二板材２と第三板材３の開き角度を規制する。なお、凸状片が形成される斜辺、凸状片を受け入れる凹状部の下側斜辺及び溝穴の端部はすべて約６０度傾斜させられているのは、ドリッパーＤが三角錐状を成すことができるように板材同士の交差角度を整えるためである。
【００２２】
第一板材１、第二板材２、第三板材３の台形の下底に相当する下辺１ｄ、２ｄ、３ｄには、図１（ａ）〜（ｃ）に示すように、垂辺１ｃ、２ｃ、３ｃと交差する角部近くに、板材の内側に切り込むことにより形成された窪み１３、２３、３３が設けられている。これらは、図４に示すようにドリッパーＤを開いてマグカップ等に載せたときに、その上縁部に係合して落下防止ストッパーとなる。また、第二板材２と第三板材３は、垂辺２ｃ、３ｃのすぐそばに、相互に留め外し可能なホックの雄部材と雌部材を取り付けるための孔２４、３４が設けられている。これは、図３に示すような折り畳み状態としたときに、それぞれの孔に取り付けられたホック部材２５（不図示）と３５が相互に嵌合することにより、不意に開かないように保持するものである。なお、垂辺２ｃにおいて外側に突出する上方部分と垂辺３ｃにおいて外側に突出する下方部分は上述したように操作タブとして、図３に示すように親指と人差し指を添えて操作すれば、ホックの結合を容易に外して開く際の補助となる。なお、各板材には、上述した凹状部１２、２２や溝穴３２等以外に多数の穴が設けられているが、これらは軽量化や折り畳み時における各板材の撓み易さを確保するためのものである。
【００２３】
各板材１〜３を相互に係合させて折り畳み及び展開可能なドリッパーＤを組み立てる手順を説明する。まず、図２に矢印Ｂで示すように、第一板材１の凸状片１１を、第二板材２内側面側から凹状部２２に係合させる。具体的には、図５（ａ）に示すように、凸状片１１及び爪状突起１１ａを第二板材２の内側面側から凹状部２２の最も長い辺に沿って通した後、凸状片１１を下側斜辺２２ａに寄せるように回動させる。凹状部２２の下端と上側斜辺の寸法は、下側斜辺２２ａに向かうにつれて狭く設定されており、図５（ｂ）に示すように、凸状片１１の上端が上側斜辺に当接するが、更に白抜き矢印で示すように力を加え、凸状片１１を一点鎖線で示すように撓ませながら段差２２ｂを通過させる。凸状片１１はその爪状突起１１ａと段差２２ｂにより下側斜辺２２ａと離脱不能に係合し、第一板材１と第二板材２は係合部分を中心に相互に揺動可能となる。
【００２４】
次に、図２に矢印Ｃで示すように、第二板材２の凸状片２１を、第三板材３の内側面側から溝穴３２に係合させる。但しそのままでは爪状突起２１ａが溝穴３２に引っ掛かるため、第二板材２と第三板材３を相互に傾斜させて行う。凸状片２１を根元まで挿入した後、傾斜を解消すれば、爪状突起２１ａが抜け止めとなって凸状片２１が溝穴３２から外れることはない。最後に、図２に矢印Ａで示すように、第三板材３の凸状片３１を、第一板材１の凹状部１２に係合させる。第一板材１の凸状片１１を、第二板材２の凹状部２２に係合させる場合（図５）と同様にして行うことができる。なお、第一板材１と第二板材２、及び第二板材２と第三板材３が既に係合させられているが、第二板材２と第三板材３の係合部分には一定の自由度があるため、凸状片３１と凹状部１２の係合作業が特にやりにくいということはない。
【００２５】
上記のようにして組み立てることにより、板材同士が分離不能となり、図３に示すように平坦状に折り畳まれた状態と、図４に示すように三角錐状を成すように展開された状態にすることができるドリッパーＤが完成する。図３に示す折り畳み状態から展開する際は、ホックの結合を外して、第三板材３を図３中の手前側に開くと、それと並行して第二板材２の凸状片２１が第三板材３の溝穴３２に沿ってスライド移動し、それに応じて第二板材２も手前に引かれるように開かれる。逆に図４に示す展開状態から折り畳む際には、第二板材２をその凸状片２１が第三板材３の溝穴３２内でスライド移動するように操作することで、第二板材２が第一板材１の内側面に重なるように閉じられ、同時に第三板材３が第二板材２の外側面に重なって第一板材１との間に第二板材２を挟み込むように閉じられる。
【００２６】
ところで、第二板材２と第三板材３の係合は、上述のとおり、元はある程度の自由度があるが、第一板材１と第二板材２、及び第一板材１と第三板材３が分離不能に係合されていることで、可動範囲が制限されており、板材を変形等させない限り分離することはできない。すなわち三枚の板材は所定の連結関係が確実に維持されており、折り畳まれた状態と使用可能な展開状態を切り替える際にどのようにすればよいか悩むことはないし、個別板材の紛失に気を使わなくても済むものである。
【００２７】
３枚の板材は、それらに形成した凸状片と凹状部、あるいは凸状片と溝穴の組み合わせにより直接係合させられているので、蝶番やそれを固定するリベット等の部品が不要で、部品点数や組立工数を削減して、製作コストを抑えることができる。特に３枚の板材を可撓性材料で形成することにより、凸状片と凹状部を直接係合させる構造であっても板材自体が撓んで折り畳まれるようになっているが、これは通常の蝶番と異なり、平たく折り畳んだときに、各板材にはいわゆるバネ力により元の状態に戻ろうとする力が作用する。したがって、ホックの結合を外せば各板材が元の状態に戻ろうとして半開き状態となり、これにより開き方向が示唆されて誰でも直感的に展開させることができるものである。
【符号の説明】
【００２８】
Ｄ    ドリッパー
１    第一板材
２    第二板材
３    第三板材
１１  凸状片
１２  凹状部
２１  凸状片
２２  凹状部
３１  凸状片
３２  溝穴
【図１】
0003230588.tif 000003
【図２】
0003230588.tif 000004
【図３】
0003230588.tif 000005
【図４】
0003230588.tif 000006
【図５】
0003230588.tif 000007
【手続補正書】
【提出日】令和2年11月25日(2020.11.25)
【手続補正１】
【補正対象書類名】明細書
【補正対象項目名】０００８
【補正方法】変更
【補正の内容】
【０００８】
請求項１記載のドリッパーは、
第一板材、第二板材及び第三板材の３枚の可撓性材料で形成される板材を係合してなるドリッパーであって、
前記第一板材と前記第二板材、及び前記第一板材と前記第三板材は、一方の板材の外れ止めを有する凸状片と他方の板材の外れ止めを有する凹状部により分離不能に係合されて、該係合部分を中心に相互に揺動可能とされており、
前記第二板材の外れ止めを有する凸状片が、前記第三板材の溝穴に分離不能に係合されて、前記溝穴沿いをスライド可能とされており、
前記第二板材と前記第三板材が前記第一板材に対して閉じられたときに、前記各板材が重なるように折り畳まれた状態となり、
前記第二板材と前記第三板材が前記第一板材に対して開かれたときに、前記溝穴沿いをスライド可能とされている前記第二板材の凸状片が前記溝穴内でストッパーとして開き角度を規制することにより、紙製フィルターを保持可能な概ね三角錐状を形成した状態となることを特徴とするドリッパー
を提供する。
【手続補正２】
【補正対象書類名】実用新案登録請求の範囲
【補正対象項目名】請求項１
【補正方法】変更
【補正の内容】
【請求項１】
第一板材、第二板材及び第三板材の３枚の可撓性材料で形成される板材を係合してなるドリッパーであって、
前記第一板材と前記第二板材、及び前記第一板材と前記第三板材は、一方の板材の外れ止めを有する凸状片と他方の板材の外れ止めを有する凹状部により分離不能に係合されて、該係合部分を中心に相互に揺動可能とされており、
前記第二板材の外れ止めを有する凸状片が、前記第三板材の溝穴に分離不能に係合されて、前記溝穴沿いをスライド可能とされており、
前記第二板材と前記第三板材が前記第一板材に対して閉じられたときに、前記各板材が重なるように折り畳まれた状態となり、
前記第二板材と前記第三板材が前記第一板材に対して開かれたときに、前記溝穴沿いをスライド可能とされている前記第二板材の凸状片が前記溝穴内でストッパーとして開き角度を規制することにより、紙製フィルターを保持可能な概ね三角錐状を形成した状態となることを特徴とするドリッパー。